(57)【要約】【課題】照明装置の照射方向に照射される光の種類を光源1a,1b,1cの数よりも多くする。【解決手段】楕円反射面2a1,2b1,2c1を有するリフレクタ2a,2b,2cと、リフレクタ2a,2b,2cからの光を反射する双曲反射面3a,3b,3cを有するリフレクタ3とを設け、双曲反射面3a,3b,3cによって反射されたリフレクタ2a,2b,2cからの光の光路が、双曲反射面3a,3b,3cの焦点上の仮想光源からの放射光の光路と一致するように、双曲反射面3a,3b,3cを配置し、双曲反射面3a,3b,3cからの光を照明装置の照射方向に反射する放物反射面4a1,4b1,4c1を有するリフレクタ4a,4b,4cを設け、リフレクタ3の表面のうち、リフレクタ4a,4b,4cの反対側の部分に、リフレクタ2a,2b,2cからの光を混合して照明装置の照射方向に乱反射する乱反射面3dを形成した。【選択図】図３
2008235037.tif 000002
【特許請求の範囲】
【請求項１】
照明装置の中心軸線を中心とする円上に第１光源と第２光源と第３光源とを配列し、
第１焦点が第１光源上あるいはその近傍に位置し、第２焦点が第１光源と照明装置の中心軸線とを含む平面上に位置する楕円反射面を有する第１リフレクタを設け、
第１焦点が第２光源上あるいはその近傍に位置し、第２焦点が第２光源と照明装置の中心軸線とを含む平面上に位置する楕円反射面を有する第２リフレクタを設け、
第１焦点が第３光源上あるいはその近傍に位置し、第２焦点が第３光源と照明装置の中心軸線とを含む平面上に位置する楕円反射面を有する第３リフレクタを設け、
第１リフレクタからの光を反射するための第１双曲反射面と、第２リフレクタからの光を反射するための第２双曲反射面と、第３リフレクタからの光を反射するための第３双曲反射面とを有する第４リフレクタを設け、
第１双曲反射面によって反射された第１リフレクタからの光の光路が、第１双曲反射面の焦点上の仮想光源からの放射光の光路と一致するように、第１双曲反射面を配置し、
第２双曲反射面によって反射された第２リフレクタからの光の光路が、第２双曲反射面の焦点上の仮想光源からの放射光の光路と一致するように、第２双曲反射面を配置し、
第３双曲反射面によって反射された第３リフレクタからの光の光路が、第３双曲反射面の焦点上の仮想光源からの放射光の光路と一致するように、第３双曲反射面を配置し、
第１双曲反射面からの光を照明装置の照射方向に反射するための反射面を有する第５リフレクタを設け、
第２双曲反射面からの光を照明装置の照射方向に反射するための反射面を有する第６リフレクタを設け、
第３双曲反射面からの光を照明装置の照射方向に反射するための反射面を有する第７リフレクタを設け、
第４リフレクタの表面のうち、第５リフレクタ、第６リフレクタおよび第７リフレクタの反対側の部分に、第１リフレクタからの光、第２リフレクタからの光および第３リフレクタからの光を混合して照明装置の照射方向に乱反射するための乱反射面を形成したことを特徴とする照明装置。
【請求項２】
第１光源から第１の色の光を放射し、第２光源から第２の色の光を放射し、第３光源から第３の色の光を放射することにより、第５リフレクタの反射面から第１の色の光を照明装置の照射方向に照射し、第６リフレクタの反射面から第２の色の光を照明装置の照射方向に照射し、第７リフレクタの反射面から第３の色の光を照明装置の照射方向に照射し、第４リフレクタの乱反射面から第１の色の光と第２の色の光と第３の色の光とが混じり合った第４の色の光を照明装置の照射方向に照射することを特徴とする請求項１に記載の照明装置。
【請求項３】
第５リフレクタの反射面、第６リフレクタの反射面および第７リフレクタの反射面と、第４リフレクタの乱反射面とを照明装置の照射方向に離間させて配置したことを特徴とする請求項１又は２に記載の照明装置。
【請求項４】
第１リフレクタの楕円反射面の第１焦点と第２焦点とを結ぶ直線を隔てて第１リフレクタの楕円反射面の反対側、かつ、第２リフレクタの楕円反射面の第１焦点と第２焦点とを結ぶ直線を隔てて第２リフレクタの楕円反射面の反対側、かつ、第３リフレクタの楕円反射面の第１焦点と第２焦点とを結ぶ直線を隔てて第３リフレクタの楕円反射面の反対側に第４リフレクタの乱反射面を配置したことを特徴とする請求項１〜３のいずれか一項に記載の照明装置。
【請求項５】
第４リフレクタの第１双曲反射面の焦点を焦点とする放物反射面によって第５リフレクタの反射面を構成し、第４リフレクタの第２双曲反射面の焦点を焦点とする放物反射面によって第６リフレクタの反射面を構成し、第４リフレクタの第３双曲反射面の焦点を焦点とする放物反射面によって第７リフレクタの反射面を構成したことを特徴とする請求項１〜４のいずれか一項に記載の照明装置。
【発明の詳細な説明】
【技術分野】
【０００１】
本発明は、複数の光源が設けられ、各光源からの光を反射して照明装置の照射方向に照射するための反射面が各光源に対応して設けられた照明装置に関し、特には、複数の光源からの光が混じり合った混合光を照明装置の照射方向に照射することができる照明装置に関する。
【０００２】
詳細には、本発明は、照明装置の照射方向に照射される光の種類を光源の数よりも多くすることができる照明装置に関する。
【背景技術】
【０００３】
従来から、複数の光源が設けられ、各光源からの光を反射して照明装置の照射方向に照射するための反射面が各光源に対応して設けられた照明装置が知られている。この種の照明装置の例としては、例えば特開２００１−３３２１０４号公報の図３、図４等に記載されたものがある。
【０００４】
特開２００１−３３２１０４号公報の図３に記載された照明装置では、第１光源と第２光源とが設けられている。更に、第１光源からの光を照明装置の照射方向に反射するための第１反射面と、第２光源からの光を照明装置の照射方向に反射するための第２反射面とが設けられている。そのため、特開２００１−３３２１０４号公報の図３に記載された照明装置では、第１光源からの光を第１反射面から照明装置の照射方向に照射することができ、第２光源からの光を第２反射面から照明装置の照射方向に照射することができる。
【０００５】
ところで、特開２００１−３３２１０４号公報の図３に記載された照明装置では、第１光源からの光と第２光源からの光とが混じり合った混合光を照明装置の照射方向に照射することができない。
【０００６】
詳細には、特開２００１−３３２１０４号公報の図３に記載された照明装置では、光源の数が、第１光源および第２光源の２個であるのに対し、照明装置の照射方向に照射される光の種類が、第１反射面から照射される第１光源からの光および第２反射面から照射される第２光源からの光の２種類になっている。つまり、特開２００１−３３２１０４号公報の図３に記載された照明装置では、光源の数と、照明装置の照射方向に照射される光の種類とが等しくなっており、照明装置の照射方向に照射される光の種類を光源の数よりも多くすることができない。
【０００７】
また、特開２００１−３３２１０４号公報の図４に記載された照明装置では、第１光源と第２光源と第３光源と第４光源とが設けられている。更に、第１光源からの光を照明装置の照射方向に反射するための第１反射面と、第２光源からの光を照明装置の照射方向に反射するための第２反射面と、第３光源からの光を照明装置の照射方向に反射するための第３反射面と、第４光源からの光を照明装置の照射方向に反射するための第４反射面とが設けられている。そのため、特開２００１−３３２１０４号公報の図４に記載された照明装置では、第１光源からの光を第１反射面から照明装置の照射方向に照射することができ、第２光源からの光を第２反射面から照明装置の照射方向に照射することができ、第３光源からの光を第３反射面から照明装置の照射方向に照射することができ、第４光源からの光を第４反射面から照明装置の照射方向に照射することができる。
【０００８】
ところで、特開２００１−３３２１０４号公報の図４に記載された照明装置では、第１光源からの光と第２光源からの光と第３光源からの光と第４光源からの光とが混じり合った混合光を照明装置の照射方向に照射することができない。
【０００９】
詳細には、特開２００１−３３２１０４号公報の図４に記載された照明装置では、光源の数が、第１光源、第２光源、第３光源および第４光源の４個であるのに対し、照明装置の照射方向に照射される光の種類が、第１反射面から照射される第１光源からの光、第２反射面から照射される第２光源からの光、第３反射面から照射される第３光源からの光、および、第４反射面から照射される第４光源からの光の４種類になっている。つまり、特開２００１−３３２１０４号公報の図４に記載された照明装置では、光源の数と、照明装置の照射方向に照射される光の種類とが等しくなっており、照明装置の照射方向に照射される光の種類を光源の数よりも多くすることができない。
【００１０】
【特許文献１】特開２００１−３３２１０４号公報
【発明の開示】
【発明が解決しようとする課題】
【００１１】
前記問題点に鑑み、本発明は、複数の光源からの光が混じり合った混合光を照明装置の照射方向に照射することができる照明装置を提供することを目的とする。
【００１２】
詳細には、本発明は、照明装置の照射方向に照射される光の種類を光源の数よりも多くすることができる照明装置を提供することを目的とする。
【課題を解決するための手段】
【００１３】
請求項１に記載の発明によれば、照明装置の中心軸線を中心とする円上に第１光源と第２光源と第３光源とを配列し、第１焦点が第１光源上あるいはその近傍に位置し、第２焦点が第１光源と照明装置の中心軸線とを含む平面上に位置する楕円反射面を有する第１リフレクタを設け、第１焦点が第２光源上あるいはその近傍に位置し、第２焦点が第２光源と照明装置の中心軸線とを含む平面上に位置する楕円反射面を有する第２リフレクタを設け、第１焦点が第３光源上あるいはその近傍に位置し、第２焦点が第３光源と照明装置の中心軸線とを含む平面上に位置する楕円反射面を有する第３リフレクタを設け、第１リフレクタからの光を反射するための第１双曲反射面と、第２リフレクタからの光を反射するための第２双曲反射面と、第３リフレクタからの光を反射するための第３双曲反射面とを有する第４リフレクタを設け、第１双曲反射面によって反射された第１リフレクタからの光の光路が、第１双曲反射面の焦点上の仮想光源からの放射光の光路と一致するように、第１双曲反射面を配置し、第２双曲反射面によって反射された第２リフレクタからの光の光路が、第２双曲反射面の焦点上の仮想光源からの放射光の光路と一致するように、第２双曲反射面を配置し、第３双曲反射面によって反射された第３リフレクタからの光の光路が、第３双曲反射面の焦点上の仮想光源からの放射光の光路と一致するように、第３双曲反射面を配置し、第１双曲反射面からの光を照明装置の照射方向に反射するための反射面を有する第５リフレクタを設け、第２双曲反射面からの光を照明装置の照射方向に反射するための反射面を有する第６リフレクタを設け、第３双曲反射面からの光を照明装置の照射方向に反射するための反射面を有する第７リフレクタを設け、第４リフレクタの表面のうち、第５リフレクタ、第６リフレクタおよび第７リフレクタの反対側の部分に、第１リフレクタからの光、第２リフレクタからの光および第３リフレクタからの光を混合して照明装置の照射方向に乱反射するための乱反射面を形成したことを特徴とする照明装置が提供される。
【００１４】
請求項２に記載の発明によれば、第１光源から第１の色の光を放射し、第２光源から第２の色の光を放射し、第３光源から第３の色の光を放射することにより、第５リフレクタの反射面から第１の色の光を照明装置の照射方向に照射し、第６リフレクタの反射面から第２の色の光を照明装置の照射方向に照射し、第７リフレクタの反射面から第３の色の光を照明装置の照射方向に照射し、第４リフレクタの乱反射面から第１の色の光と第２の色の光と第３の色の光とが混じり合った第４の色の光を照明装置の照射方向に照射することを特徴とする請求項１に記載の照明装置が提供される。
【００１５】
請求項３に記載の発明によれば、第５リフレクタの反射面、第６リフレクタの反射面および第７リフレクタの反射面と、第４リフレクタの乱反射面とを照明装置の照射方向に離間させて配置したことを特徴とする請求項１又は２に記載の照明装置が提供される。
【００１６】
請求項４に記載の発明によれば、第１リフレクタの楕円反射面の第１焦点と第２焦点とを結ぶ直線を隔てて第１リフレクタの楕円反射面の反対側、かつ、第２リフレクタの楕円反射面の第１焦点と第２焦点とを結ぶ直線を隔てて第２リフレクタの楕円反射面の反対側、かつ、第３リフレクタの楕円反射面の第１焦点と第２焦点とを結ぶ直線を隔てて第３リフレクタの楕円反射面の反対側に第４リフレクタの乱反射面を配置したことを特徴とする請求項１〜３のいずれか一項に記載の照明装置が提供される。
【００１７】
請求項５に記載の発明によれば、第４リフレクタの第１双曲反射面の焦点を焦点とする放物反射面によって第５リフレクタの反射面を構成し、第４リフレクタの第２双曲反射面の焦点を焦点とする放物反射面によって第６リフレクタの反射面を構成し、第４リフレクタの第３双曲反射面の焦点を焦点とする放物反射面によって第７リフレクタの反射面を構成したことを特徴とする請求項１〜４のいずれか一項に記載の照明装置が提供される。
【発明の効果】
【００１８】
請求項１に記載の照明装置では、照明装置の中心軸線を中心とする円上に第１光源と第２光源と第３光源とが配列されている。
【００１９】
更に、請求項１に記載の照明装置では、第１焦点が第１光源上あるいはその近傍に位置し、第２焦点が第１光源と照明装置の中心軸線とを含む平面上に位置する楕円反射面を有する第１リフレクタが設けられている。そのため、請求項１に記載の照明装置では、第１光源から放射された光が、第１リフレクタの楕円反射面によって反射され、第１リフレクタの楕円反射面の第２焦点に集光せしめられる。
【００２０】
また、請求項１に記載の照明装置では、第１焦点が第２光源上あるいはその近傍に位置し、第２焦点が第２光源と照明装置の中心軸線とを含む平面上に位置する楕円反射面を有する第２リフレクタが設けられている。そのため、請求項１に記載の照明装置では、第２光源から放射された光が、第２リフレクタの楕円反射面によって反射され、第２リフレクタの楕円反射面の第２焦点に集光せしめられる。
【００２１】
更に、請求項１に記載の照明装置では、第１焦点が第３光源上あるいはその近傍に位置し、第２焦点が第３光源と照明装置の中心軸線とを含む平面上に位置する楕円反射面を有する第３リフレクタが設けられている。そのため、請求項１に記載の照明装置では、第３光源から放射された光が、第３リフレクタの楕円反射面によって反射され、第３リフレクタの楕円反射面の第２焦点に集光せしめられる。
【００２２】
また、請求項１に記載の照明装置では、第１リフレクタからの光を反射するための第１双曲反射面と、第２リフレクタからの光を反射するための第２双曲反射面と、第３リフレクタからの光を反射するための第３双曲反射面とを有する第４リフレクタが設けられている。更に、第１双曲反射面によって反射された第１リフレクタからの光の光路が、第１双曲反射面の焦点上の仮想光源からの放射光の光路と一致するように、第１双曲反射面が配置されている。
【００２３】
更に、請求項１に記載の照明装置では、第２双曲反射面によって反射された第２リフレクタからの光の光路が、第２双曲反射面の焦点上の仮想光源からの放射光の光路と一致するように、第２双曲反射面が配置されている。また、第３双曲反射面によって反射された第３リフレクタからの光の光路が、第３双曲反射面の焦点上の仮想光源からの放射光の光路と一致するように、第３双曲反射面が配置されている。
【００２４】
また、請求項１に記載の照明装置では、第１双曲反射面からの光を照明装置の照射方向に反射するための反射面を有する第５リフレクタが設けられている。そのため、請求項１に記載の照明装置では、第１光源から放射された光の一部が、第１リフレクタの楕円反射面によって反射され、次いで、第４リフレクタの第１双曲反射面によって反射され、次いで、第５リフレクタの反射面によって反射され、照明装置の照射方向に照射される。換言すれば、請求項１に記載の照明装置では、第１光源から放射された光の一部が、第５リフレクタの反射面から照明装置の照射方向に照射される。
【００２５】
更に、請求項１に記載の照明装置では、第２双曲反射面からの光を照明装置の照射方向に反射するための反射面を有する第６リフレクタが設けられている。そのため、請求項１に記載の照明装置では、第２光源から放射された光の一部が、第２リフレクタの楕円反射面によって反射され、次いで、第４リフレクタの第２双曲反射面によって反射され、次いで、第６リフレクタの反射面によって反射され、照明装置の照射方向に照射される。換言すれば、請求項１に記載の照明装置では、第２光源から放射された光の一部が、第６リフレクタの反射面から照明装置の照射方向に照射される。
【００２６】
また、請求項１に記載の照明装置では、第３双曲反射面からの光を照明装置の照射方向に反射するための反射面を有する第７リフレクタが設けられている。そのため、請求項１に記載の照明装置では、第３光源から放射された光の一部が、第３リフレクタの楕円反射面によって反射され、次いで、第４リフレクタの第３双曲反射面によって反射され、次いで、第７リフレクタの反射面によって反射され、照明装置の照射方向に照射される。換言すれば、請求項１に記載の照明装置では、第３光源から放射された光の一部が、第７リフレクタの反射面から照明装置の照射方向に照射される。
【００２７】
更に、請求項１に記載の照明装置では、第４リフレクタの表面のうち、第５リフレクタ、第６リフレクタおよび第７リフレクタの反対側の部分に、第１リフレクタからの光、第２リフレクタからの光および第３リフレクタからの光を混合して照明装置の照射方向に乱反射するための乱反射面が形成されている。そのため、請求項１に記載の照明装置では、第１リフレクタの楕円反射面によって反射された第１光源からの光の一部と、第２リフレクタの楕円反射面によって反射された第２光源からの光の一部と、第３リフレクタの楕円反射面によって反射された第３光源からの光の一部とが、第４リフレクタの乱反射面によって乱反射され、混合されて照明装置の照射方向に照射される。
【００２８】
つまり、請求項１に記載の照明装置では、第１光源からの光が第５リフレクタの反射面から照明装置の照射方向に照射され、第２光源からの光が第６リフレクタの反射面から照明装置の照射方向に照射され、第３光源からの光が第７リフレクタの反射面から照明装置の照射方向に照射され、更に、第１光源からの光と第２光源からの光と第３光源からの光とが混じり合った混合光が、第４リフレクタの乱反射面から照明装置の照射方向に照射される。
【００２９】
そのため、請求項１に記載の照明装置によれば、第１光源からの光と第２光源からの光と第３光源からの光とが混じり合った混合光を照明装置の照射方向に照射することができる。
【００３０】
詳細には、請求項１に記載の照明装置では、光源の数が、第１光源、第２光源および第３光源の３個であるのに対し、照明装置の照射方向に照射される光の種類が、第５リフレクタの反射面から照射される第１光源からの光、第６リフレクタの反射面から照射される第２光源からの光、第７リフレクタの反射面から照射される第３光源からの光、および、第４リフレクタの乱反射面から照射される第１光源からの光と第２光源からの光と第３光源からの光とが混じり合った混合光の４種類になっている。
【００３１】
そのため、請求項１に記載の照明装置によれば、照明装置の照射方向に照射される光の種類を光源の数よりも多くすることができる。
【００３２】
請求項２に記載の照明装置では、第１光源から第１の色の光を放射し、第２光源から第２の色の光を放射し、第３光源から第３の色の光を放射することにより、第５リフレクタの反射面から第１の色の光が照明装置の照射方向に照射され、第６リフレクタの反射面から第２の色の光が照明装置の照射方向に照射され、第７リフレクタの反射面から第３の色の光が照明装置の照射方向に照射され、第４リフレクタの乱反射面から第１の色の光と第２の色の光と第３の色の光とが混じり合った第４の色の光が照明装置の照射方向に照射される。
【００３３】
そのため、請求項２に記載の照明装置によれば、第１光源から放射される第１の色の光、第２光源から放射される第２の色の光、および、第３光源から放射される第３の色の光に加えて、第１の色の光と第２の色の光と第３の色の光とが混じり合った第４の色の光を照明装置の照射方向に照射することができる。
【００３４】
詳細には、請求項２に記載の照明装置によれば、照明装置の照射方向に照射される光の色の数を光源から照射される光の色の数よりも多くすることができる。
【００３５】
請求項３に記載の照明装置では、第５リフレクタの反射面、第６リフレクタの反射面および第７リフレクタの反射面と、第４リフレクタの乱反射面とが、照明装置の照射方向に離間して配置されている。そのため、請求項３に記載の照明装置によれば、第５リフレクタの反射面、第６リフレクタの反射面、第７リフレクタの反射面および第４リフレクタの乱反射面を照明装置の照射方向から立体的に見せることができる。
【００３６】
詳細には、請求項３に記載の照明装置によれば、第４リフレクタの乱反射面が第５リフレクタの反射面、第６リフレクタの反射面および第７リフレクタの反射面と照明装置の照射方向に離間せしめられることなく配置されている場合よりも、第５リフレクタの反射面、第６リフレクタの反射面、第７リフレクタの反射面および第４リフレクタの乱反射面を照明装置の照射方向から立体的に見せることができる。更に詳細には、第４リフレクタの乱反射面が、乱反射面ではなく、全反射面になっている場合よりも、第５リフレクタの反射面、第６リフレクタの反射面、第７リフレクタの反射面および第４リフレクタの乱反射面を照明装置の照射方向から立体的に見せることができる。
【００３７】
請求項４に記載の照明装置では、第１リフレクタの楕円反射面の第１焦点と第２焦点とを結ぶ直線を隔てて第１リフレクタの楕円反射面の反対側、かつ、第２リフレクタの楕円反射面の第１焦点と第２焦点とを結ぶ直線を隔てて第２リフレクタの楕円反射面の反対側、かつ、第３リフレクタの楕円反射面の第１焦点と第２焦点とを結ぶ直線を隔てて第３リフレクタの楕円反射面の反対側に第４リフレクタの乱反射面が配置されている。
【００３８】
そのため、請求項４に記載の照明装置によれば、第１リフレクタの楕円反射面の第１焦点と第２焦点とを結ぶ直線よりも第１リフレクタの楕円反射面の側に第４リフレクタの乱反射面が配置されている場合、または、第２リフレクタの楕円反射面の第１焦点と第２焦点とを結ぶ直線よりも第２リフレクタの楕円反射面の側に第４リフレクタの乱反射面が配置されている場合、または、第３リフレクタの楕円反射面の第１焦点と第２焦点とを結ぶ直線よりも第３リフレクタの楕円反射面の側に第４リフレクタの乱反射面が配置されている場合よりも、第１リフレクタからの光、第２リフレクタからの光および第３リフレクタからの光を混合して照明装置の照射方向に乱反射するための第４リフレクタの乱反射面を大きくすることができる。
【００３９】
つまり、請求項４に記載の照明装置によれば、第１リフレクタの楕円反射面の第１焦点と第２焦点とを結ぶ直線よりも第１リフレクタの楕円反射面の側に第４リフレクタの乱反射面が配置されている場合、または、第２リフレクタの楕円反射面の第１焦点と第２焦点とを結ぶ直線よりも第２リフレクタの楕円反射面の側に第４リフレクタの乱反射面が配置されている場合、または、第３リフレクタの楕円反射面の第１焦点と第２焦点とを結ぶ直線よりも第３リフレクタの楕円反射面の側に第４リフレクタの乱反射面が配置されている場合よりも、第４リフレクタの乱反射面の発光面積を大きくすることができる。
【００４０】
請求項５に記載の照明装置では、第４リフレクタの第１双曲反射面の焦点を焦点とする放物反射面によって第５リフレクタの反射面が構成され、第４リフレクタの第２双曲反射面の焦点を焦点とする放物反射面によって第６リフレクタの反射面が構成され、第４リフレクタの第３双曲反射面の焦点を焦点とする放物反射面によって第７リフレクタの反射面が構成されている。
【００４１】
そのため、請求項５に記載の照明装置によれば、第１光源からの光を第５リフレクタの反射面から照明装置の中心軸線に平行に照射することができ、第２光源からの光を第６リフレクタの反射面から照明装置の中心軸線に平行に照射することができ、第３光源からの光を第７リフレクタの反射面から照明装置の中心軸線に平行に照射することができる。
【発明を実施するための最良の形態】
【００４２】
以下、本発明の照明装置の第１の実施形態について説明する。図１は第１の実施形態の照明装置の平面図、図２は第１の実施形態の照明装置の断面図である。詳細には、図２（Ａ）は図１のＡ−Ａ線に沿った断面図、図２（Ｂ）は図１のＢ−Ｂ線に沿った断面図、図２（Ｃ）は図１のＣ−Ｃ線に沿った断面図である。図３は第１の実施形態の照明装置の光路図である。詳細には、図３（Ａ）は図２（Ａ）に示した断面内における光路を示しており、図３（Ｂ）は図２（Ｂ）に示した断面内における光路を示しており、図３（Ｃ）は図２（Ｃ）に示した断面内における光路を示している。
【００４３】
図１および図２において、１ａ，１ｂ，１ｃは例えばＬＥＤのような光源を示しており、２ａ，２ｂ，２ｃはリフレクタを示している。２ａ１は直線２ａ１ｃを中心に楕円弧を回転することにより得られたリフレクタ２ａの楕円反射面を示しており、２ｂ１は直線２ｂ１ｃを中心に楕円弧を回転することにより得られたリフレクタ２ｂの楕円反射面を示しており、２ｃ１は直線２ｃ１ｃを中心に楕円弧を回転することにより得られたリフレクタ２ｃの楕円反射面を示している。２ａ１ａは楕円反射面２ａ１の第１焦点を示しており、２ａ１ｂは楕円反射面２ａ１の第２焦点を示している。２ｂ１ａは楕円反射面２ｂ１の第１焦点を示しており、２ｂ１ｂは楕円反射面２ｂ１の第２焦点を示している。２ｃ１ａは楕円反射面２ｃ１の第１焦点を示しており、２ｃ１ｂは楕円反射面２ｃ１の第２焦点を示している。
【００４４】
また、図１および図２において、３はリフレクタを示しており、３ａは所定の軸線を中心に双曲線を回転することにより得られた双曲反射面を示しており、３ｂは所定の軸線を中心に双曲線を回転することにより得られた双曲反射面を示しており、３ｃは所定の軸線を中心に双曲線を回転することにより得られた双曲反射面を示している。３ａ１は双曲反射面３ａの焦点を示しており、３ｂ１は双曲反射面３ｂの焦点を示しており、３ｃ１は双曲反射面３ｃの焦点を示している。３ｄは例えばシボ加工のような粗面加工を施すことにより得られた乱反射面３ｄを示している。
【００４５】
更に、図１および図２において、４ａ，４ｂ，４ｃはリフレクタを示しており、４ａ１は所定の軸線を中心に放物線を回転することにより得られた放物反射面を示しており、４ｂ１は所定の軸線を中心に放物線を回転することにより得られた放物反射面を示しており、４ｃ１は所定の軸線を中心に放物線を回転することにより得られた放物反射面を示している。４ａ１ａは放物反射面４ａ１の焦点を示しており、４ｂ１ａは放物反射面４ｂ１の焦点を示しており、４ｃ１ａは放物反射面４ｃ１の焦点を示している。
【００４６】
第１の実施形態の照明装置では、図１に示すように、照明装置の中心軸線ＣＬを中心とする円Ｃ上に光源１ａ，１ｂ，１ｃが１２０°間隔で配列されている。
【００４７】
また、第１の実施形態の照明装置では、図１および図２（Ａ）に示すように、第１焦点２ａ１ａが光源１ａ上あるいはその近傍に位置し、第２焦点２ａ１ｂが光源１ａと照明装置の中心軸線ＣＬとを含む平面Ｓａ上に位置するように、リフレクタ２ａの楕円反射面２ａ１が配置されている。そのため、第１の実施形態の照明装置では、図３（Ａ）に示すように、光源１ａから放射された光Ｌａ１，Ｌａ２，Ｌａ３が、リフレクタ２ａの楕円反射面２ａ１によって反射され、楕円反射面２ａ１の第２焦点２ａ１ｂに集光せしめられる。
【００４８】
同様に、第１の実施形態の照明装置では、図１および図２（Ｂ）に示すように、第１焦点２ｂ１ａが光源１ｂ上あるいはその近傍に位置し、第２焦点２ｂ１ｂが光源１ｂと照明装置の中心軸線ＣＬとを含む平面Ｓｂ上に位置するように、リフレクタ２ｂの楕円反射面２ｂ１が配置されている。そのため、第１の実施形態の照明装置では、図３（Ｂ）に示すように、光源１ｂから放射された光Ｌｂ１，Ｌｂ２，Ｌｂ３が、リフレクタ２ｂの楕円反射面２ｂ１によって反射され、楕円反射面２ｂ１の第２焦点２ｂ１ｂに集光せしめられる。
【００４９】
更に、第１の実施形態の照明装置では、図１および図２（Ｃ）に示すように、第１焦点２ｃ１ａが光源１ｃ上あるいはその近傍に位置し、第２焦点２ｃ１ｂが光源１ｃと照明装置の中心軸線ＣＬとを含む平面Ｓｃ上に位置するように、リフレクタ２ｃの楕円反射面２ｃ１が配置されている。そのため、第１の実施形態の照明装置では、図３（Ｃ）に示すように、光源１ｃから放射された光Ｌｃ１，Ｌｃ２，Ｌｃ３が、リフレクタ２ｃの楕円反射面２ｃ１によって反射され、楕円反射面２ｃ１の第２焦点２ｃ１ｂに集光せしめられる。
【００５０】
また、第１の実施形態の照明装置では、図１〜図３に示すように、リフレクタ２ａからの光Ｌａ１，Ｌａ２を反射するための双曲反射面３ａと、リフレクタ２ｂからの光Ｌｂ１，Ｌｂ２を反射するための双曲反射面３ｂと、リフレクタ２ｃからの光Ｌｃ１，Ｌｃ２を反射するための双曲反射面３ｃとを有するリフレクタ３が設けられている。
【００５１】
詳細には、第１の実施形態の照明装置では、図３（Ａ）に示すように、双曲反射面３ａによって反射されたリフレクタ２ａからの光Ｌａ１，Ｌａ２の光路が、双曲反射面３ａの焦点３ａ１上の仮想光源からの放射光の光路と一致するように、双曲反射面３ａが配置されている。同様に、図３（Ｂ）に示すように、双曲反射面３ｂによって反射されたリフレクタ２ｂからの光Ｌｂ１，Ｌｂ２の光路が、双曲反射面３ｂの焦点３ｂ１上の仮想光源からの放射光の光路と一致するように、双曲反射面３ｂが配置されている。また、図３（Ｃ）に示すように、双曲反射面３ｃによって反射されたリフレクタ２ｃからの光Ｌｃ１，Ｌｃ２の光路が、双曲反射面３ｃの焦点３ｃ１上の仮想光源からの放射光の光路と一致するように、双曲反射面３ｃが配置されている。
【００５２】
更に、第１の実施形態の照明装置では、図１および図３（Ａ）に示すように、双曲反射面３ａからの光Ｌａ１，Ｌａ２を照明装置の照射方向（図３（Ａ）の上側）に反射するための放物反射面４ａ１を有するリフレクタ４ａが設けられている。詳細には、リフレクタ３の双曲反射面３ａの焦点３ａ１と、放物反射面４ａ１の焦点４ａ１ａとがほぼ一致せしめられている。そのため、第１の実施形態の照明装置では、図３（Ａ）に示すように、光源１ａから放射された光Ｌａ１，Ｌａ２が、リフレクタ２ａの楕円反射面２ａ１によって反射され、次いで、リフレクタ３の双曲反射面３ａによって反射され、次いで、リフレクタ４ａの放物反射面４ａ１によって反射され、照明装置の照射方向（図３（Ａ）の上側）に照明装置の中心軸線ＣＬと平行に照射される。
【００５３】
同様に、第１の実施形態の照明装置では、図１および図３（Ｂ）に示すように、双曲反射面３ｂからの光Ｌｂ１，Ｌｂ２を照明装置の照射方向（図３（Ｂ）の上側）に反射するための放物反射面４ｂ１を有するリフレクタ４ｂが設けられている。詳細には、リフレクタ３の双曲反射面３ｂの焦点３ｂ１と、放物反射面４ｂ１の焦点４ｂ１ａとがほぼ一致せしめられている。そのため、第１の実施形態の照明装置では、図３（Ｂ）に示すように、光源１ｂから放射された光Ｌｂ１，Ｌｂ２が、リフレクタ２ｂの楕円反射面２ｂ１によって反射され、次いで、リフレクタ３の双曲反射面３ｂによって反射され、次いで、リフレクタ４ｂの放物反射面４ｂ１によって反射され、照明装置の照射方向（図３（Ｂ）の上側）に照明装置の中心軸線ＣＬと平行に照射される。
【００５４】
また、第１の実施形態の照明装置では、図１および図３（Ｃ）に示すように、双曲反射面３ｃからの光Ｌｃ１，Ｌｃ２を照明装置の照射方向（図３（Ｃ）の上側）に反射するための放物反射面４ｃ１を有するリフレクタ４ｃが設けられている。詳細には、リフレクタ３の双曲反射面３ｃの焦点３ｃ１と、放物反射面４ｃ１の焦点４ｃ１ａとがほぼ一致せしめられている。そのため、第１の実施形態の照明装置では、図３（Ｃ）に示すように、光源１ｃから放射された光Ｌｃ１，Ｌｃ２が、リフレクタ２ｃの楕円反射面２ｃ１によって反射され、次いで、リフレクタ３の双曲反射面３ｃによって反射され、次いで、リフレクタ４ｃの放物反射面４ｃ１によって反射され、照明装置の照射方向（図３（Ｃ）の上側）に照明装置の中心軸線ＣＬと平行に照射される。
【００５５】
更に、第１の実施形態の照明装置では、図１〜図３に示すように、リフレクタ３の表面のうち、リフレクタ４ａ，４ｂ，４ｃの反対側（図２および図３の上側）の部分に、リフレクタ２ａからの光Ｌａ３、リフレクタ２ｂからの光Ｌｂ３およびリフレクタ２ｃからの光Ｌｃ３を混合して照明装置の照射方向（図２および図３の上側）に乱反射するための乱反射面３ｄが形成されている。そのため、第１の実施形態の照明装置では、図３（Ａ）、図３（Ｂ）および図３（Ｃ）に示すように、リフレクタ２ａの楕円反射面２ａ１によって反射された光源１ａからの光Ｌａ３と、リフレクタ２ｂの楕円反射面２ｂ１によって反射された光源１ｂからの光Ｌｂ３と、リフレクタ２ｃの楕円反射面２ｃ１によって反射された光源１ｃからの光Ｌｃ３とが、リフレクタ３の乱反射面３ｄによって乱反射され、混合されて照明装置の照射方向（図３の上側）に照射される。
【００５６】
つまり、第１の実施形態の照明装置では、図３（Ａ）に示すように、光源１ａからの光Ｌａ１，Ｌａ２がリフレクタ４ａの放物反射面４ａ１から照明装置の照射方向（図３（Ａ）の上側）に照射され、図３（Ｂ）に示すように、光源１ｂからの光Ｌｂ１，Ｌｂ２がリフレクタ４ｂの放物反射面４ｂ１から照明装置の照射方向（図３（Ｂ）の上側）に照射され、図３（Ｃ）に示すように、光源１ｃからの光Ｌｃ１，Ｌｃ２がリフレクタ４ｃの放物反射面４ｃ１から照明装置の照射方向（図３（Ｃ）の上側）に照射され、更に、図３（Ａ）、図３（Ｂ）および図３（Ｃ）に示すように、光源１ａからの光Ｌａ３と光源１ｂからの光Ｌｂ３と光源１ｃからの光Ｌｃ３とが混じり合った混合光が、リフレクタ３の乱反射面３ｄから照明装置の照射方向（図３の上側）に照射される。そのため、第１の実施形態の照明装置によれば、光源１ａからの光Ｌａ３と光源１ｂからの光Ｌｂ３と光源１ｃからの光Ｌｃ３とが混じり合った混合光を照明装置の照射方向（図３の上側）に照射することができる。
【００５７】
詳細には、第１の実施形態の照明装置では、光源の数が、光源１ａ、光源１ｂおよび光源１ｃの３個であるのに対し、照明装置の照射方向に照射される光の種類が、リフレクタ４ａの放物反射面４ａ１から照射される光源１ａからの光Ｌａ１，Ｌａ２、リフレクタ４ｂの放物反射面４ｂ１から照射される光源１ｂからの光Ｌｂ１，Ｌｂ２、リフレクタ４ｃの放物反射面４ｃ１から照射される光源１ｃからの光Ｌｃ１，Ｌｃ２、および、リフレクタ３の乱反射面３ｄから照射される光源１ａからの光Ｌａ３と光源１ｂからの光Ｌｂ３と光源１ｃからの光Ｌｃ３とが混じり合った混合光の４種類になっている。そのため、第１の実施形態の照明装置によれば、照明装置の照射方向に照射される光の種類を光源の数よりも多くすることができる。
【００５８】
第１の実施形態の照明装置では、光源１ａから照射される光Ｌａ１，Ｌａ２，Ｌａ３の色と、光源１ｂから照射される光Ｌｂ１，Ｌｂ２，Ｌｂ３の色と、光源１ｃから照射される光Ｌｃ１，Ｌｃ２，Ｌｃ３の色とが同じ色に設定されているが、第２の実施形態の照明装置では、代わりに、光源１ａから照射される光Ｌａ１，Ｌａ２，Ｌａ３の色と、光源１ｂから照射される光Ｌｂ１，Ｌｂ２，Ｌｂ３の色と、光源１ｃから照射される光Ｌｃ１，Ｌｃ２，Ｌｃ３の色とが互いに異なる色に設定されている。詳細には、第２の実施形態の照明装置では、例えば光源１ａから照射される光Ｌａ１，Ｌａ２，Ｌａ３の色が赤色に設定され、光源１ｂから照射される光Ｌｂ１，Ｌｂ２，Ｌｂ３の色が緑色に設定され、光源１ｃから照射される光Ｌｃ１，Ｌｃ２，Ｌｃ３の色が青色に設定されている。
【００５９】
その結果、第２の実施形態の照明装置では、リフレクタ４ａの放物反射面４ａ１から赤色の光が照明装置の照射方向に照射され、リフレクタ４ｂの放物反射面４ｂ１から緑色の光が照明装置の照射方向に照射され、リフレクタ４ｃの放物反射面４ｃ１から青色の光が照明装置の照射方向に照射され、リフレクタ３の乱反射面３ｄから赤色の光と緑色の光と青色の光とが混じり合った白色の光が照明装置の照射方向に照射される。
【００６０】
そのため、第２の実施形態の照明装置によれば、光源１ａから放射される赤色の光、光源１ｂから放射される緑色の光、および、光源１ｃから放射される青色の光に加えて、赤色の光と緑色の光と青色の光とが混じり合った白色の光を照明装置の照射方向に照射することができる。詳細には、第２の実施形態の照明装置によれば、照明装置の照射方向に照射される光の色の数を光源１ａ，１ｂ，１ｃから照射される光の色の数よりも多くすることができる。
【００６１】
更に、第１の実施形態の照明装置では、図２（Ａ）に示すように、リフレクタ４ａの楕円反射面４ａ１と、リフレクタ３の乱反射面３ｄとが、照明装置の照射方向（図２（Ａ）の上下方向）に離間して配置されている。また、図２（Ｂ）に示すように、リフレクタ４ｂの楕円反射面４ｂ１と、リフレクタ３の乱反射面３ｄとが、照明装置の照射方向（図２（Ｂ）の上下方向）に離間して配置されている。更に、図２（Ｃ）に示すように、リフレクタ４ｃの楕円反射面４ｃ１と、リフレクタ３の乱反射面３ｄとが、照明装置の照射方向（図２（Ｃ）の上下方向）に離間して配置されている。
【００６２】
そのため、第１の実施形態の照明装置によれば、リフレクタ４ａ，４ｂ，４ｃの楕円反射面４ａ１，４ｂ１，４ｃ１およびリフレクタ３の乱反射面３ｄを照明装置の照射方向（図２の上側）から立体的に見せることができる。詳細には、第１の実施形態の照明装置によれば、リフレクタ３の乱反射面３ｄがリフレクタ４ａ，４ｂ，４ｃの楕円反射面４ａ１，４ｂ１，４ｃ１に対して浮いているように、照明装置の照射方向（図２の上側）から見せることができる。
【００６３】
更に、第１の実施形態の照明装置では、図２（Ａ）に示すように、リフレクタ２ａの楕円反射面２ａ１の第１焦点２ａ１ａと第２焦点２ａ１ｂとを結ぶ直線２ａ１ｃを隔ててリフレクタ２ａの楕円反射面２ａ１の反対側（図２（Ａ）の下側）にリフレクタ３の乱反射面３ｄが配置されている。また、図２（Ｂ）に示すように、リフレクタ２ｂの楕円反射面２ｂ１の第１焦点２ｂ１ａと第２焦点２ｂ１ｂとを結ぶ直線２ｂ１ｃを隔ててリフレクタ２ｂの楕円反射面２ｂ１の反対側（図２（Ｂ）の下側）にリフレクタ３の乱反射面３ｄが配置されている。更に、図２（Ｃ）に示すように、リフレクタ２ｃの楕円反射面２ｃ１の第１焦点２ｃ１ａと第２焦点２ｃ１ｂとを結ぶ直線２ｃ１ｃを隔ててリフレクタ２ｃの楕円反射面２ｃ１の反対側（図２（Ｃ）の下側）にリフレクタ３の乱反射面３ｄが配置されている。
【００６４】
そのため、第１の実施形態の照明装置によれば、図３に示すように、リフレクタ２ａからの光Ｌａ３、リフレクタ２ｂからの光Ｌｂ３およびリフレクタ２ｃからの光Ｌｃ３を混合して照明装置の照射方向（図３の上側）に乱反射するためのリフレクタ３の乱反射面３ｄを大きくすることができる。
【００６５】
第１の実施形態の照明装置では、リフレクタ４ａ，４ｂ，４ｃの反射面が放物反射面４ａ１，４ｂ１，４ｃ１によって構成されているが、第３の実施形態の照明装置では、代わりに、放物反射面以外の任意の面によってリフレクタ４ａ，４ｂ，４ｃの反射面を構成することも可能である。
【００６６】
第１の実施形態の照明装置では、図３に示すように、リフレクタ４ａからの光Ｌａ１，Ｌａ２、リフレクタ４ｂからの光Ｌｂ１，Ｌｂ２、リフレクタ４ｃからの光Ｌｃ１，Ｌｃ２、および、リフレクタ３の乱反射面３ｄからの光Ｌａ３，Ｌｂ３，Ｌｃ３がレンズカットを介することなく照明装置の照射方向（図３の上側）に照射されるが、第４の実施形態の照明装置では、代わりに、リフレクタ４ａからの光Ｌａ１，Ｌａ２、リフレクタ４ｂからの光Ｌｂ１，Ｌｂ２、リフレクタ４ｃからの光Ｌｃ１，Ｌｃ２、および、リフレクタ３の乱反射面３ｄからの光Ｌａ３，Ｌｂ３，Ｌｃ３を、レンズカットを介して照明装置の照射方向に照射することも可能である。
【００６７】
図４は第５の実施形態の照明装置の平面図、図５は第５の実施形態の照明装置の断面図である。詳細には、図５（Ａ）は図４のＡ’−Ａ’線に沿った断面図、図５（Ｂ）は図４のＢ’−Ｂ’線に沿った断面図、図５（Ｃ）は図４のＣ’−Ｃ’線に沿った断面図である。
【００６８】
第１の実施形態の照明装置では、図１および図２に示すように、概略水平な面に例えばシボ加工のような粗面加工を施すことにより乱反射面３ｄが形成されているが、第５の実施形態の照明装置では、図４および図５（Ａ）に示すように、リフレクタ３の双曲反射面３ａがリフレクタ３の上面（図５（Ａ）の上側の面）まで延ばされ、図４および図５（Ｂ）に示すように、リフレクタ３の双曲反射面３ｂがリフレクタ３の上面（図５（Ｂ）の上側の面）まで延ばされ、図４および図５（Ｃ）に示すように、リフレクタ３の双曲反射面３ｃがリフレクタ３の上面（図５（Ｃ）の上側の面）まで延ばされ、それらの延ばされた部分に例えばシボ加工のような粗面加工を施すことにより乱反射面３ｄ’が形成されている。
【００６９】
第６の実施形態では、上述した第１から第５の実施形態を適宜組み合わせることも可能である。
【産業上の利用可能性】
【００７０】
本発明の照明装置は、例えば遊技機器の演出用照明、車両用灯具、一般照明等の各種照明装置等に適用可能である。
【図面の簡単な説明】
【００７１】
【図１】第１の実施形態の照明装置の平面図である。
【図２】第１の実施形態の照明装置の断面図である。
【図３】第１の実施形態の照明装置の光路図である。
【図４】第５の実施形態の照明装置の平面図である。
【図５】第５の実施形態の照明装置の断面図である。
【符号の説明】
【００７２】
１ａ，１ｂ，１ｃ              光源
２ａ，２ｂ，２ｃ              リフレクタ
２ａ１，２ｂ１，２ｃ１        楕円反射面
２ａ１ａ，２ａ１ｂ            焦点
２ｂ１ａ，２ｂ１ｂ            焦点
２ｃ１ａ，２ｃ１ｂ            焦点
３                            リフレクタ
３ａ，３ｂ，３ｃ              双曲反射面
３ａ１，３ｂ１，３ｃ１        焦点
３ｄ                          乱反射面
４ａ，４ｂ，４ｃ              リフレクタ
４ａ１，４ｂ１，４ｃ１        放物反射面
４ａ１ａ，４ｂ１ａ，４ｃ１ａ  焦点
【図１】
2008235037.tif 000003
【図２】
2008235037.tif 000004
【図３】
2008235037.tif 000005
【図４】
2008235037.tif 000006
【図５】
2008235037.tif 000007